(57)【特許請求の範囲】
【請求項１】
味噌を収納するための収納容器であって、
合成樹脂によって形成されており上部を開口してなる蓋付きで直方体状のケースと、
合成樹脂製シートによって袋状に形成されており味噌を充填した状態で前記ケースの内部に収容される袋体とからなるものであり、
前記ケースが、直方体状のものであるとともに、
前記袋体が、左右両側に折り込み部を設け、かつ、底部に折り込み部を設けたガゼット袋、左右両側に折り込み部を設け、かつ、左右の下端際に傾斜した帯状のヒートシール部を設けたガゼット袋、または、左右両側に折り込み部を設け、かつ、左右の下端際に上方から下方にかけて次第に幅広となるヒートシール部を設けたガゼット袋であり、
前記袋体の左右の折り込み部が、
二つ折りされた一定の幅を有する定幅部分の上部に、その定幅部分より幅の狭い幅狭部分を形成してなるものであり、
それらの左右の折り込み部の定幅部分に、開封すべき位置を表示することによって開封予定位置が設定されていることを特徴とする味噌用収納容器。
【請求項２】
前記ケースが、繰り返し使用可能なものであることを特徴とする請求項１に記載の味噌用収納容器。
【請求項３】
前記ケースが、透明な合成樹脂によって形成されており、前記袋体に内容物に関する情報が印刷されており、前記ケースの外側から前記袋体に施された印刷が視認可能となっていることを特徴とする請求項１、または請求項２に記載の味噌用収納容器。
【請求項４】
前記袋体が、ガスバリア性を有するものであることを特徴とする請求項１〜３のいずれかに記載の味噌用収納容器。
【発明の詳細な説明】
【技術分野】
【０００１】
本発明は、粘度の高い半固形物である味噌を収納・包装するための収納容器あるいは包装袋に関するものである。
【背景技術】
【０００２】
粘度の高い半固形物である味噌を長期的に収納（包装）する部材としては、収納し易さと取り出し易さの観点から、合成樹脂製の蓋付きのケースが用いられることが多い。また、味噌用の収納容器としては、中身の状態を確認できるように透明な合成樹脂によって形成したケースが用いられることが多い（特許文献１）。
【先行技術文献】
【特許文献】
【０００３】
【特許文献１】実開平７−２６３９２号公報
【発明の概要】
【発明が解決しようとする課題】
【０００４】
しかしながら、上記した特許文献１の如き従来の味噌用の収納容器は、内容物を充填して陳列するためには、ケース本体、蓋体の他に、ケース本体の開口部で内部を密封するためのシール部材が必要である。また、内容物の商品名や性状を表示するためには、別途、それらを表示したシール等を作成してケースに貼り付けなければならない。それゆえ、従来の味噌用の収納容器は、包装に要する部材点数が多くなってしまうため、安価に包装することが難しい。さらに、特許文献１の如き味噌用の収納容器は、ケース本体の形態の保持性が高いため、味噌を冷蔵庫内で保存する上で使い勝手が良いものの、味噌がなくなった場合には、重量の大きなケース本体および蓋体を廃棄しなければならないため、環境負荷が大きい、という不具合もある。
【０００５】
本発明の目的は、上記従来の味噌用の収納容器が有する問題点を解消し、粘度の高い半固形物である味噌を容易に収納したり、取り出したりすることができる上、味噌を安価に包装することができ、かつ、廃棄する際の環境負荷が小さく、エコに貢献できる収納容器を提供することにある。
【課題を解決するための手段】
【０００６】
本発明の内、請求項１に記載された発明は、味噌を収納するための収納容器であって、合成樹脂によって形成されており上部を開口してなる蓋付きで直方体状のケースと、合成樹脂製シートによって袋状に形成されており味噌を充填した状態で前記ケースの内部に収容される袋体とからなるものであり、前記ケースが、直方体状のものであるとともに、前記袋体が、左右両側に折り込み部を設け、かつ、底部に折り込み部を設けたガゼット袋、左右両側に折り込み部を設け、かつ、左右の下端際に傾斜した帯状のヒートシール部を設けたガゼット袋、または、左右両側に折り込み部を設け、かつ、左右の下端際に上方から下方にかけて次第に幅広となるヒートシール部を設けたガゼット袋であり、前記袋体の左右の折り込み部が、二つ折りされた一定の幅を有する定幅部分の上部に、その定幅部分より幅の狭い幅狭部分を形成してなるものであり、それらの左右の折り込み部の定幅部分に、開封すべき位置を表示することによって開封予定位置が設定されていることを特徴とする味噌用収納容器である。
【０００７】
請求項２に記載された発明は、請求項１に記載された発明において、前記ケースが、繰り返し使用可能なものであることを特徴とするものである。
【０００８】
請求項３に記載された発明は、請求項１、または請求項２に記載された発明において、前記ケースが、透明な合成樹脂によって形成されており、前記袋体に内容物に関する情報が印刷されており、前記ケースの外側から前記袋体に施された印刷が視認可能となっていることを特徴とするものである。
【０００９】
請求項４に記載された発明は、請求項１〜３のいずれかに記載された発明において、前記袋体が、ガスバリア性を有するものであることを特徴とするものである。
【発明の効果】
【００１３】
請求項１に記載の味噌用収納容器は、蓋付きのケースとそのケースに収容される袋体とからなるものであるので、袋体内に味噌を充填（収納）し、その袋体をケース内にフィットするように収容して使用することができる。そして、袋体内の味噌を使い切った後には、袋体のみを折り畳んで廃棄することができるので、ゴミが嵩張らない。
【００１４】
請求項２に記載の味噌用収納容器は、前記ケースが、繰り返し使用可能なものであるので、最初にケース内に収容されていた袋体内の味噌を使い切った後には、その袋体のみを廃棄して、再度、味噌を充填した別の袋体を、同じケースに収納して冷蔵庫内等で保存することができる。したがって、ケース入りの味噌としての使い勝手の良さを損なうことなく、廃棄するゴミの量を少なくすることができ、環境負荷を小さくすることができる。
【００１５】
請求項３に記載の味噌用収納容器は、透明なケースの外側から袋体に施された内容物に関する印刷（味噌の商品名等）が視認可能となっているため、ケースの外側に、内容物の商品名や性状等を印刷したシールを貼り付ける必要がないので、少ない部材点数で安価に包装することができる。
【００１６】
請求項４に記載の味噌用収納容器は、袋体がガスバリア性を有するものであるため、詰め替え用の袋体を単品で流通させる際でも、味噌の品質を保持し易い。また、袋体がガスバリア性を有しているため、ケースにはバリア性がなくても味噌の品質が保持されるので、ケースの材質が限定されない。それゆえ、結果的に、ケースを安価に製造することが可能となる。
【００１７】
請求項１に記載の味噌用収納容器は、袋体が左右両側に折り込み部を設けたものであるので、袋体に味噌を充填した後には、その充填部分が略直方体状になり、同様に直方体状のケースの内部に隙間なく（フィットするように）収容することができるので、店頭や冷蔵庫内等において小さなスペースで効率良く収納することができる。
【００１８】
請求項１に記載の味噌用収納容器は、袋体が底部に折り込み部を設けたガゼット袋であるので、袋体内に味噌を充填した際に、袋体の底部の折り込み部が拡がって矩形の底面を形成するため、充填された味噌を残さないように掻き出すことができる。また、袋体が自立し易いので、袋体によるディスプレイ効果が高い（袋体の前後面および側面に印刷された広告等を視認し易い）。
【００１９】
請求項１に記載の味噌用収納容器は、袋体の左右両サイドを、上端まで至るようにヒートシールして、それらの側方シール部の上端際の間に開口部を形成することによって、袋体に味噌を充填（収納）する際に、折り込み部の幅狭部分の上方において大きく開口する開口部から容易に充填することができる（味噌を排出するノズル等が引っ掛かったりすることなく充填することができる）。また、袋体の上端縁をヒートシールすることによって容易に密封することができる。さらに、請求項１に記載の味噌用収納容器は、折り込み部の定幅部分の高さ位置に設定される開封予定位置において水平方向に裁断すれば、裁断部が矩形に開口するため、充填された味噌を取り出し易い。
【図面の簡単な説明】
【００２０】
【図１】収納容器を分解して示す説明図（斜視図）である。
【図２】ガゼット袋を示す説明図である（ａは正面図であり、ｂはａにおけるＡ−Ａ線端面図であり、ｃはａにおけるＢ−Ｂ線端面図である）。
【図３】ガゼット袋を示す説明図（斜視図）である。
【図４】ガゼット袋を形成するための左右の折り込み材および底部の折り込み材を示す説明図である（ａは正面図であり、ｂはａにおける破線部分の左側面図であり、ｃは左側の折り込み材の下端際の左側面の端面図（すなわち、ａにおける矢印Ｃ方向の矢視図）であり、ｄは左側の折り込み材と底部の折り込み材とを分離した状態の斜視図である）。
【図５】ガゼット袋の使用状態を示す説明図（斜視図）である。
【図６】ガゼット袋を示す説明図である（ａは正面図であり、ｂはａにおけるＤ−Ｄ線端面図である）。
【図７】ガゼット袋を示す説明図（斜視図）である。
【図８】ガゼット袋の変更例を示す説明図である（ａ，ｂは正面図であり、ｃは斜視図である）。
【図９】ガゼット袋の変更例を示す説明図である（ａは正面図であり、ｂは斜視図である）。
【図１０】ガゼット袋の変更例を示す説明図（正面図）である。
【図１１】ガゼット袋の変更例を示す説明図（正面図）である。
【図１２】ガゼット袋の変更例を示す説明図である（ａは正面図であり、ｂはａにおけるＦ−Ｆ線端面図である）。
【図１３】ガゼット袋の変更例を示す説明図である（ａは正面図であり、ｂはａにおけるＥ−Ｅ線端面図である）。
【図１４】折り込み材の変更例を示す説明図である（ａは正面図であり、ｂはａにおける破線部分の左側面図である）。
【図１５】折り込み材の変更例を示す説明図（斜視図）である
【図１６】左右の折り込み材および底部の折り込み材の変更例を示す説明図である（ａは左側の折り込み材の下端際の左側面の端面図であり、ｂは一体的に連なった左側の折り込み材および底部の折り込み材を示す斜視図である）。
【発明を実施するための形態】
【００２１】
以下、本発明に係る収納容器の一実施形態について詳細に説明する。本発明に係る収納容器は、粘度の高い半固形物である味噌を収納するためのものであり、透明な合成樹脂によって上部を開口した箱状に形成された蓋付きのケースと、透明な合成樹脂製シートによって表裏２枚の胴材の左右両側に折り込み部を設けた袋状に形成されており、ケースの内部に収容される袋体とからなるものである。
【００２２】
ケースは、合成樹脂製シートを真空成型や圧空成形等を利用して熱成形することで製造することができる。そのような合成樹脂製シートとしては、単層あるいは多層のシートを用いることができ、例えば、ポリプロピレンのシートを用いれば、安価に製造することができる。なお、合成樹脂製シートの厚みは、約２０〜５００μｍであると好ましい。
【００２３】
一方、袋体は、柔軟な合成樹脂製シートによって形成されたものを好適に用いることができる。ここでいう合成樹脂製シートとは、合成樹脂フィルムを積層した積層フィルム、あるいは合成樹脂フィルムと紙やアルミ箔等とを積層した積層フィルム、共押出フィルム等のことである。袋体に用いられる合成樹脂製シートは、少なくとも片面（内面）が熱接着性を有している必要がある。また、当該袋体は、味噌の品質を保持するために、ガスバリア性を有し、２０℃６５％ＲＨにおける酸素透過度が、好ましくは２０ｃｃ／ｍ２・ｄａｙ・ａｔｍ以下、より好ましくは１０ｃｃ／ｍ２・ｄａｙ・ａｔｍ以下、最も好ましくは１ｃｃ／ｍ２・ｄａｙ・ａｔｍ以下である。
【００２４】
そして、そのような合成樹脂製シートとしては、例えば、バリア層と熱接着層とを含む多層フィルムが用いられる。バリア層としては、エチレン−ビニルアルコール共重合体フィルム、バリア層としては、エチレン−ビニルアルコール共重合体フィルム、あるいはエチレン−ビニルアルコール共重合体フィルム又はポリメタキシリレンアジパミドフィルムのナイロン等との共押し出しフィルムが挙げられる。また、酸化ケイ素や酸化アルミニウムが蒸着されたポリエステル等のフィルム、アルミニウム箔やアルミニウムが蒸着されたポリエステルやナイロン等のフィルムを用いてもよい。熱接着層としては、例えば、ポリエチレンや無延伸ポリプロピレン等のフィルムを用いることができる。
【００２５】
また、袋体は、上記した合成樹脂製シートを、所定の態様で積層し、その積層体の側部および／または下部（底部）および／または上部（頭部）をヒートシールして袋状にすることによって製造される。各ヒートシール（側方シール部、底シール部、頭シール部等）および裁断は、ガゼット製袋機等を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂製シートを用いる場合には、１７０〜２１０℃の範囲内にするのが好ましい。
【００２６】
また、袋体は、味噌が充填された状態で、容器内面に沿って、容器にフィットした状態で収容される大きさに形成される。さらに、袋体は、特に形状の限定はなく、パウチや三方袋等を用いることができるが、左右に折り込み部を設けたもの（折り込み材を内向きに二つ折りに折り込んだもの、所謂、マチを設けたもの）を用いると、ケース内への収容が容易となる上、袋体の自立性が高くなり、袋体のみでも冷蔵庫等へ収納可能となるので好ましく、ガゼット袋を用いるとより好ましく、底部に折り込み部を設けたものを用いると、特に好ましい。
【００２７】
また、袋体は、正面視で概ね矩形に形成されるが、その大きさは特に限定されず、高さ、幅ともに必要に応じて調整することができる。さらに、袋体は、上記の如く、左右両サイドおよび／または底部に折り込み部を設けたものが好ましいが、その折り込み部の幅（二つ折り部分の幅）も、特に限定されず、必要に応じて調整することができる。加えて、折り込み部の形状や構造も、特に限定されず、必要に応じて適宜変更することができる。
【００２８】
また、袋体は、折り込み部の定幅部分の高さ位置において水平方向に裁断して開封する開封予定位置が設定されていると好ましい。ここで言う「開封予定位置が設定されている」とは、破線やハサミのマーク等を印刷すること等によって裁断（開封）すべき位置が表示されていること、サイドに水平方向への裁断のきっかけとなるノッチや切れ込みあるいは複数の細孔等の易開封手段が裁断すべき位置に設けられていること、手で裁断可能なように複数の切線、細孔（貫通孔あるいは未貫通孔）等が水平方向に直線状に連続的に設けられていること（たとえば、貫通あるいは未貫通のミシン目が設けられていること）等を含む概念である。なお、開封予定位置は、内部に充填した内容物の上面より上側の任意の高さ位置に設定するのが好ましい。
【実施例】
【００２９】
［実施例１］
＜収納容器の構成＞
以下、本発明に係る味噌用収納容器（以下、単に、収納容器という）の一実施例について説明する。図１は、実施例１の収納容器Ｃ１を示したものであり、収納容器Ｃ１は、ケース本体１１および蓋体１２からなるケース１と、袋体であるガゼット袋Ｐ１とによって構成されている。ケース１のケース本体１１は、透明な合成樹脂（厚さ６０μｍのポリプロピレンシート）によって、上部を開口した直方体状に形成されており、縦×横×奥行き＝１３０ｍｍ×１１０ｍｍ×１００ｍｍの大きさを有している。また、ケース１の蓋体１２は、ケース本体１１と同じ透明な合成樹脂（厚さ６０μｍのポリプロピレンシート）によって形成されており、矩形の天板の前後左右から一定幅の帯状体を天板と直交するように下向きに延設した形状を有している。そして、当該蓋体１２は、ケース本体１１の開口部に外嵌することができるようになっている。
【００３０】
一方、図２、図３は、ガゼット袋Ｐ１を示したものであり、ガゼット袋Ｐ１は、表裏２枚の略矩形の胴材２ａ，２ｂ、それらの胴材２ａ，２ｂの左右の両端縁際に挟み込まれた折り込み材３ａ，３ｂ、および、底部の折り込み材４によって、正面視が略矩形（縦長な長方形状）となるように形成されており、縦×横＝２２０ｍｍ×１０５ｍｍの大きさを有している。
【００３１】
表裏の胴材２ａ，２ｂは、厚さ１５μｍのナイロンフィルム（ベースフィルム）の上に、厚さ１２μｍのエチレン−ビニルアルコール共重合体フィルムを積層し、さらにその上に、厚さ１００μｍの直鎖状低密度ポリエチレンフィルム（熱接着性フィルム）を積層してなる透明な合成樹脂製シートによって形成されている。そして、それらの胴材２ａ，２ｂは、それぞれ、直鎖状低密度ポリエチレンフィルム（熱接着性フィルム）層を内側にした状態で配置されている。なお、表裏の胴材２ａ，２ｂには、充填する内容物（味噌）の商品名や性状等が印刷されている（図示せず）。
【００３２】
また、図４は、ガゼット袋Ｐ１における左右両サイドの折り込み材３ａ，３ｂおよび底部の折り込み材４を示したものである。左右の各折り込み材３ａ，３ｂの上端際の部分は、胴材２ａ，２ｂと同様な合成樹脂製シートからなる縦長な帯状体を、直鎖状低密度ポリエチレンフィルム層が内側になるように、所定の幅（約４７．５ｍｍ幅）の二つ折りにして、その上端際の部分をさらに斜めに折り曲げた構造を有している。そして、二つ折りした部分が一定の幅を有する定幅部分１８を構成し、上端際の四つ折り部分が定幅部分１８より幅の狭い幅狭部分１９を構成した状態になっている。なお、左側の折り込み材３ａと右側の折り込み材３ｂは、左右対称な構造を有している。それらの折り込み材３ａ，３ｂは、直鎖状低密度ポリエチレンフィルム層を表裏の胴材２ａ，２ｂの裏面に対向させた状態で配置されている。
【００３３】
また、左右の各折り込み材３ａ，３ｂの下端際の部分は、それぞれ、断面（鉛直な断面）Ｍ字状になるように中側へ斜めに折り曲げられており、それらの屈曲部分Ｆ，Ｆの内部に、横長な帯状体を二つ折りにしてなる底部の折り込み材４の左右の両端際が挟み込まれている。なお、当該底部の折り込み材４は、胴材２ａ，２ｂ，折り込み材３ａ，３ｂと同様な合成樹脂製シートによって形成されており、裏面（熱接着性面）を外向きにした状態で二つ折りされている。そして、それらの左右の折り込み材３ａ，３ｂおよび底部の折り込み材４の表裏の外側に、胴材２ａ，２ｂが重ねられている。
【００３４】
そして、胴材２ａ，２ｂと折り込み材３ａ，３ｂとの積層部分の内の端縁際の部分をヒートシールすることによって幅約８ｍｍの側方シール部５，５・・が形成されている。当該側方シール部５，５・・の内の上側の部分においては、表側の胴材２ａの裏面と折り込み材３ａ，３ｂの裏面、および、裏側の胴材２ｂの裏面と折り込み材３ａ，３ｂの裏面が、それぞれ融着し合っている。一方、側方シール部５，５・・の下端際の部分においては、断面Ｍ字状の屈曲部分Ｆの外側では、表側の胴材２ａの裏面と折り込み材３ａ，３ｂの裏面、および、裏側の胴材２ｂの裏面と折り込み材３ａ，３ｂの裏面が、それぞれ融着し合っており、屈曲部分Ｆの内側では、折り込み材３ａ，３ｂの裏面と底部の折り込み材４の裏面が融着し合っている。
【００３５】
また、底部の折り込み部（折り込み材４が挟み込まれた部分）の下端縁際の部分を一定の高さ（約８ｍｍ）の帯状にヒートシールすることによって底シール部１５，１５が形成されている。そして、それらの底シール部１５，１５においては、表側の胴材２ａの裏面と折り込み材４の裏面、および、裏側の胴材２ｂの裏面と折り込み材４の裏面が、それぞれ融着し合っている。
【００３６】
さらに、各側方シール部５，５・・の上部であって折り込み材３ａ，３ｂの上端際の外側の部分には、略半楕円形状のシール強化部８が設けられており、当該シール強化部８の最大幅は、約２０ｍｍになっている。なお、それらのシール強化部８，８によって、胴材２ａ，２ｂの間に挟み込まれた折り込み材３ａ，３ｂの幅狭部分１９（四つ折り部分）が強固に融着された状態になっている。
【００３７】
そして、上記の如く製袋されたガゼット袋Ｐ１の折り込み部（折り込み材３ａ，３ｂを折り込んだ部分）の定幅部分１８の上端際の高さ位置（シール強化部８の下側の位置）には、ハサミ等によって裁断（開封）すべき位置を示す破線Ｃが印刷によって表示されている。そして、その破線Ｃによって開封予定位置が設定された状態になっている。なお、図４に示すように、破線Ｃは、折り込み部３ａ，３ｂおよび胴材２ａ，２ｂを横断するように周状に印刷されている。
【００３８】
＜収納容器の作用＞
上記の如く構成された収納容器Ｃ１は、ガゼット袋Ｐ１のヒートシールされていない上端縁の開口部Ｏ（左右の側方シール部５，５同士の間の部分）から内容物を充填させる。そして、そのように内容物を充填した後に、ガゼット袋Ｐ１の上端縁の開口部Ｏの胴材２ａ，２ｂをヒートシールすることによって、一定の高さで（約５ｍｍ〜１０ｍｍ）の帯状の頭シール部を形成するとともに、ガゼット袋Ｐ１を密封する。なお、頭シール部は、左右の側方シール部５，５と重なり合うように形成する。
【００３９】
ガゼット袋Ｐ１に上記の如く内容物を充填させると、折り込み材３ａ，３ｂの二つ折りになった定幅部分１８が拡がって矩形状の側面を形成する。また、底部付近において折り込み材４が拡がって矩形状の底面を形成する。それゆえ、きわめて安定した状態で起立させることができる。そして、そのように内容物を充填させたガゼット袋Ｐ１を、収納容器Ｃ１のケース１のケース本体１１内に収容し、ガゼット袋Ｐ１の上部（概ねシール強化部８の上方の部分）を折り畳んで（図１参照）、ケース本体１１の開口部に、蓋体１２を装着することによって、内容物である味噌の梱包（包装）を完了する。
【００４０】
＜収納容器による効果＞
収納容器Ｃ１は、上記の如く、合成樹脂によって形成されており上部を開口してなる蓋付きのケース１と、合成樹脂製シートによって袋状に形成されておりケース１の内部に収容される袋体（ガゼット袋Ｐ１）とからなるものであるので、袋体内に味噌を充填（収納）し、その袋体をケース１内にフィットするように収容して使用することができる。そして、袋体内の味噌を使い切った後には、袋体のみを折り畳んで廃棄することができるので、ゴミが嵩張らない。
【００４１】
また、収納容器Ｃ１は、ケース１が、繰り返し使用可能なものであるので、最初にケース１内に収容されていた袋体（ガゼット袋Ｐ１）内の味噌を使い切った後には、その袋体のみを廃棄して、再度、味噌を充填した別の袋体を、同じケース１に収納して冷蔵庫内等で保存することができる。したがって、ケース入りの味噌としての使い勝手の良さを損なうことなく、廃棄するゴミの量を少なくすることができ、環境負荷を小さくすることができる。
【００４２】
さらに、収納容器Ｃ１は、ケース１が、透明な合成樹脂によって形成されており、袋体（ガゼット袋Ｐ１）に内容物に関する情報が印刷されており、ケース１の外側から袋体に施された印刷が視認可能となっているため、ケース１の外側に、内容物の商品名や性状等を印刷したシールを貼り付ける必要がないので、少ない部材点数で安価に包装することができる。
【００４３】
加えて、収納容器Ｃ１は、袋体（ガゼット袋Ｐ１）がガスバリア性を有するものであるため、詰め替え用の袋体を単品で流通させる際でも、味噌の品質を保持し易い。また、ケース１にはバリア性がなくても味噌の品質が保持されるため、ケース１の材質が限定されないので、ケース１を安価に製造することができる。
【００４４】
また、収納容器Ｃ１は、ケース１が直方体状のものであるとともに、袋体が表裏２枚の胴材２ａ，２ｂの左右両側に折り込み部（折り込み材３ａ，３ｂからなる部分）を設けたもの（ガゼット袋Ｐ１）であるため、袋体に味噌を充填した後には、その充填部分が略直方体状になり、同様に直方体状のケース１の内部に隙間なく（フィットするように）収容することができるので、店頭や冷蔵庫内等において小さなスペースで効率良く収納することができる。
【００４５】
さらに、収納容器Ｃ１は、袋体が、底部に、二つ折りされた一定の幅を有する折り込み部（折り込み材４からなる部分）を設けたガゼット袋Ｐ１であるので、ガゼット袋Ｐ１内に味噌を充填した際に、ガゼット袋Ｐ１の底部の折り込み部（折り込み材４からなる部分）が拡がって矩形の底面を形成するため、充填された味噌を残さないように掻き出すことができる。また、ガゼット袋Ｐ１が自立し易いので、ガゼット袋Ｐ１によるディスプレイ効果が高い（ガゼット袋Ｐ１の前後面および側面に印刷された広告等を視認し易い）。
【００４６】
加えて、収納容器Ｃ１は、ガゼット袋Ｐ１の左右の折り込み部（折り込み材３ａ，３ｂからなる部分）が、二つ折りされた一定の幅を有する定幅部分１８の上部に、その定幅部分１８より幅の狭い幅狭部分１９を形成してなるものであり、ガゼット袋Ｐ１の左右両サイドが、上端まで至るようにヒートシールされており、それらの側方シール部５，５の上端際の間に開口部Ｏが形成されているとともに、ガゼット袋Ｐ１の左右の折り込み部の定幅部分１８の高さ位置において水平方向に裁断して開封する開封予定位置Ｃが設定されている。それゆえ、収納容器Ｃ１は、ガゼット袋Ｐ１に味噌を充填（収納）する際に、左右の折り込み部の幅狭部分１９の上方において大きく開口する開口部Ｏから容易に充填することができる（味噌を排出するノズル等が引っ掛かったりすることなく充填することができる）。また、ガゼット袋Ｐ１の上端縁をヒートシールすることによって容易に密封することができる。さらに、収納容器Ｃ１は、左右の折り込み部の定幅部分１８の高さ位置に設定される開封予定位置Ｃにおいて水平方向に裁断すれば、裁断部が矩形に開口するため、充填された味噌を取り出し易い。
【００４７】
［実施例２］
図６、図７は、実施例２の 収納容器Ｃ２のガゼット袋Ｐ２を示したものであり、実施例２の収納容器Ｃ２のガゼット袋Ｐ２は、下端際の部分の構造が、実施例１の収納容器Ｃ１のガゼット袋Ｐ１の構造と異なっている。すなわち、ガゼット袋Ｐ２の側方シール部５，５・・の上側の部分（シール強化部８，８を除いた部分）は、実施例１の収納容器Ｃ１のガゼット袋Ｐ１と同様に、一定幅（約８ｍｍ）の帯状になっているが、下端際の部分は、次第に幅広となって幅広部Ｗを形成した状態になっている。そして、それらの幅広部Ｗ，Ｗの最大幅は、約４７．５ｍｍになっている。加えて、それらの幅広部Ｗ，Ｗには、それぞれ、エアー抜き部６，６（非融着部分）が設けられている。
【００４８】
また、ガゼット袋Ｐ２の下端縁際には、胴材２ａ，２ｂを全幅に亘ってヒートシールすることによって、一定の高さ（約１３ｍｍ）の帯状の底シール部７が形成されており、側方シール部５，５・・の下端際の幅広部Ｗ，Ｗと重なり合った状態になっている。そして、当該底シール部７の中央の部分（側方シール部５，５・・以外の部分）においては、表側の胴材２ａの裏面と裏側の胴材２ｂの裏面とが融着し合っている。
【００４９】
さらに、底シール部７の左右両端際の部分（マチの部分）には、それぞれ、スポット融着部１０，１０・・が設けられている。当該スポット融着部１０，１０・・においては、二つ折りした折り込み材３ａ，３ｂを貫通するように貫通孔が設けられており、その貫通孔を介して、表側の胴材２ａの裏面と裏側の胴材２ｂの裏面とが直接的に融着し合っている。なお、実施例２の収納容器Ｃ２のガゼット袋Ｐ２の下端際の部分以外の構造は、実施例１の収納容器Ｃ１のガゼット袋Ｐ１の構造と同様である。また、実施例２の収納容器Ｃ２のケース１の構造も、実施例１の収納容器Ｃ１のケース１の構造と同様である。
【００５０】
＜収納容器の作用＞
上記の如く構成された実施例２の収納容器Ｃ２のガゼット袋Ｐ２は、開口部Ｏから内容物を充填させて密封すると、折り込み材３ａ，３ｂの二つ折りになった定幅部分１８が拡がって矩形状の側面を形成するとともに、底シール部７の上方において、表側の胴材２ａおよび裏側の胴材２ｂが、側方シール部５，５の幅広部Ｗ，Ｗの上端際で屈曲して矩形状の底面を形成するため、下側の部分が直方体状となる。そのため、実施例２の収納容器Ｃ２のガゼット袋Ｐ２も、実施例１の収納容器Ｃ１のガゼット袋Ｐ１と同様に、安定した状態で起立させることができる。
【００５１】
＜収納容器の効果＞
実施例２の収納容器Ｃ２も、実施例１の収納容器Ｃ１と同様に、上部を開口した蓋付きのケース１と、ケース１の内部に収容される袋体（ガゼット袋Ｐ２）とからなるものであるので、袋体内に味噌を充填し、その袋体をケース１内にフィットするように収容して使用することができる上、袋体内の味噌を使い切った後には、袋体のみを折り畳んで廃棄することができるので、ゴミが嵩張らない。また、収納容器Ｃ２も、実施例１の収納容器Ｃ１と同様に、ケース１が繰り返し使用可能なものであるので、ケース入りの味噌としての使い勝手の良さを損なうことなく、廃棄するゴミの量を少なくすることができ、環境負荷を小さくすることができる。
【００５２】
さらに、収納容器Ｃ２も、実施例１の収納容器Ｃ１と同様に、ケース１が、透明な合成樹脂によって形成されており、袋体（ガゼット袋Ｐ２）に内容物に関する情報が印刷されており、ケース１の外側から袋体に施された印刷が視認可能となっているため、ケース１の外側に、内容物の商品名や性状等を印刷したシールを貼り付ける必要がないので、少ない部材点数で安価に包装することができる。
【００５３】
加えて、収納容器Ｃ２も、実施例１の収納容器Ｃ１と同様に、袋体（ガゼット袋Ｐ２）がガスバリア性を有するものであるため、詰め替え用の袋体を単品で流通させる際でも、味噌の品質を保持し易い上、ケース１にはバリア性がなくても味噌の品質が保持されるため、ケース１を安価に製造することができる。
【００５４】
また、実施例２の収納容器Ｃ２も、実施例１の収納容器Ｃ１と同様に、ケース１が直方体状のものであるとともに、袋体が左右両側に折り込み部を設けたもの（ガゼット袋Ｐ２）であるため、袋体に味噌を充填した後には、その充填部分が略直方体状になり、同様に直方体状のケース１の内部に隙間なく収容することが可能となるので、店頭や冷蔵庫内等において小さなスペースで効率良く収納することができる。
【００５５】
さらに、実施例２の収納容器Ｃ２も、実施例１の収納容器Ｃ１と同様に、袋体が底部に折り込み部を設けたガゼット袋Ｐ２であるので、ガゼット袋Ｐ２内に味噌を充填した際に、ガゼット袋Ｐ２の底部の折り込み部が拡がって矩形の底面を形成するため、充填された味噌を残さないように掻き出すことができる。また、ガゼット袋Ｐ２が自立し易いので、ガゼット袋Ｐ２によるディスプレイ効果が高い。
【００５６】
加えて、実施例２の収納容器Ｃ２も、実施例１の収納容器Ｃ１と同様に、ガゼット袋Ｐ２の左右の折り込み部が定幅部分１８の上部に幅狭部分１９を形成してなるものであり、ガゼット袋Ｐ２の左右の側方シール部５，５の上端際の間に開口部Ｏが形成されているとともに、ガゼット袋Ｐ２の左右の折り込み部の定幅部分１８の高さ位置において水平方向に裁断して開封する開封予定位置Ｃが設定されているため、ガゼット袋Ｐ２に味噌を充填する際に、大きく開口する開口部Ｏから容易に充填することができ、上端縁をヒートシールすることによって容易に密封することができる。さらに、実施例２の収納容器Ｃ２も、実施例１の収納容器Ｃ１と同様に、開封予定位置Ｃにおいて水平方向に裁断すれば、裁断部が矩形に開口するため、充填された味噌を取り出し易い。
【００５７】
さらに、実施例２の収納容器Ｃ２のガゼット袋Ｐ２は、左右両サイドの側方シール部５，５の下端際が上方から下方にかけて次第に幅広になっている（幅広部Ｗ，Ｗ）ので、内容物を充填した際に、底面の四隅においては、折り込み材３ａ，３ｂと側方シール部５，５の幅広な部分Ｗ，Ｗとが重なり合った状態となるため、耐擦傷性に優れており非常に破れにくい。加えて、実施例２の収納容器Ｃ２のガゼット袋Ｐ２は、製造時に、折り込み材３ａ，３ｂの間に、底部の折り込み材４を挟み込む必要がないため、少ない工程で安価に製造することができる。
【００５８】
＜収納容器の変更例＞
本発明に係る収納容器の構成は、上記した各実施形態の態様に何ら限定されるものではなく、ケース（ケース本体、蓋体）、袋体（胴材や折り込み部を形成するための合成樹脂製シートの材質、大きさ（高さ、幅、マチの幅、マチの構造等）、底シール部、側方シール部、頭シール部の形状等）の構成を、本発明の趣旨を逸脱しない範囲で、必要に応じて適宜変更できる。
【００５９】
たとえば、袋体（ガゼット袋等）の胴材や折り込み部を形成するための合成樹脂製シートは、上記実施形態の如く、ナイロンフィルムとエチレン−ビニルアルコール共重合体フィルムとポリエチレンフィルム（直鎖状低密度ポリエチレンフィルム）とを積層させたものに限定されず、他の材質の合成樹脂フィルムを積層させたものでも良いし、金属箔や金属蒸着フィルム等を積層させたものでも良い。なお、合成樹脂製シートとして、ナイロンフィルムとエチレン−ビニルアルコール共重合体フィルムとポリエチレンフィルム（直鎖状低密度ポリエチレンフィルム）とを積層させたものを用いた場合には、袋体（ガゼット袋等）の胴材や折り込み材の強度が良好なものとなるとともに、袋体（ガゼット袋等）の製造が容易なものとなる。また、酸素バリア性に優れるため、味噌用の包装体に好適である。
【００６０】
また、袋体（ガゼット袋等）は、上記実施形態の如く、下端際に折り込み部４や幅広部Ｗを設けたものに限定されず、図８（ａ）の如く、下端際に一定幅の底シール部７のみが設けられているもの（ガゼット袋Ｐ３）や、図８（ｂ），（ｃ）の如く、下端際に、一定幅の底シール部７とともに傾斜した帯状のヒートシール部２１，２１が設けられているもの（ガゼット袋Ｐ３’）でも良い。
【００６１】
さらに、袋体（ガゼット袋等）は、上記実施形態の如く、左右の折り込み部３ａ，３ｂに幅狭部分１９を設けたものに限定されず、図９、図１０の如く、左右の折り込み部３ａ，３ｂに幅狭部分を設けていないものに変更することも可能である（図９は、底部に折り込み部（折り込み材４が折り込まれた部分）が形成されており、左右の折り込み部３ａ，３ｂに幅狭部分が設けられていないガゼット袋（Ｐ４）を示したものであり、図１０は、底部に折り込み部が形成されておらず、左右の折り込み部３ａ，３ｂに幅狭部分が設けられていないガゼット袋（Ｐ５）を示したものである）。なお、そのように袋体（ガゼット袋等）を、左右の折り込み部３ａ，３ｂに幅狭部分を設けていないものに変更する場合には、図１１の如く、左右の下端際に、傾斜した帯状のヒートシール部２１，２１を設けたもの（ガゼット袋Ｐ６）としたり、上方から下方にかけて次第に幅広となるヒートシール部を設けたものとしたりすることも可能である。
【００６２】
また、袋体（ガゼット袋等）は、上記実施形態の如く、表裏の胴材２ａ，２ｂの左右に折り込み材を挟み込んで左右の側端縁際をヒートシールすることによって折り込み部３ａ，３ｂを形成したものに限定されず、図１２の如く、表裏の胴材２ａ，２ｂと左右の折り込み部３ａ，３ｂとを単一の合成樹脂シートによって形成し、その単一の合成樹脂シートの側端縁同士を鉛直にヒートシールしてなるもの（鉛直ヒートシール部２２を設けたピロー袋タイプのもの：ガゼット袋Ｐ８）に変更することも可能である。
【００６３】
さらに、上記の如く、袋体（ガゼット袋）の表裏の胴材２ａ，２ｂと左右の折り込み部３ａ，３ｂとを単一の合成樹脂シートによって形成する場合でも、左右両側を水平断面がＭ字状になるように内側へ折り込むととともに、その折り込まれた左右両端際（外向きに凸な屈曲部分際）をヒートシールして側方シール部を形成することも可能である。そのような構成を採用した場合には、左右の側方シール部が柱として機能するため、袋体が自立し易くなる、というメリットがある。
【００６４】
なお、袋体（ガゼット袋）の表裏の胴材２ａ，２ｂと左右の折り込み部３ａ，３ｂとを単一の合成樹脂シートによって形成する場合であって、胴材２ａとなる部分の中央で単一の合成樹脂シートの側端縁同士を重ね合わせてヒートシールする場合には、袋体（ガゼット袋）は、図１３の如き形状となる（四方柱ピロー袋タイプのもの：ガゼット袋Ｐ７）。また、同様な構成を採用する場合であっても、側方シール部が形成される位置で単一の合成樹脂シートの側端縁同士を重ね合わせてヒートシールする場合には、図１３における鉛直ヒートシール部２２が形成されず、袋体（ガゼット袋）は、図１０または図１１と同様な形状となる。そのため、袋体（ガゼット袋）の胴材２ａ，２ｂの形状および折り込み部３ａ，３ｂが平坦なシート状になるので、印刷面を大きく確保できる、というメリットがある。
【００６５】
上記の如く、袋体（ガゼット袋等）を、表裏の胴材２ａ，２ｂと左右の折り込み部３ａ，３ｂとを単一の合成樹脂シートによって形成する場合には、表裏と側面の印刷位置をずらすことなく製袋することが可能となる上、味噌を充填しながら製袋することも可能となる、というメリットがある。加えて、袋体（ガゼット袋等）を、表裏の胴材２ａ，２ｂと左右の折り込み部３ａ，３ｂとを単一の合成樹脂シートによって形成する場合には、左右の下端際に、傾斜した帯状のヒートシール部２４，２４（あるいは、上方から下方にかけて次第に幅広となるヒートシール部）を設けることも可能である。
【００６６】
上記した図８〜図１３の如き構成を採用した場合でも、それらのガゼット袋Ｐ３〜Ｐ８は、上記実施形態のガゼット袋Ｐ１，Ｐ２と同様に、開口部Ｏから味噌を容易に収納することができ、上端縁をヒートシールすることによって容易に密封することができる上、折り込み部３ａ，３ｂの定幅部分１８の高さ位置において裁断することによって、収納物を取り出し易いものとなる。
【００６７】
一方、折り込み部を構成する折り込み材は、上記実施形態の如く、縦長な帯状体を所定の幅の二つ折りにして、その上端際の部分をさらに（前方あるいは後方へ）斜めに折り曲げた構造を有するものに限定されず、図１４の如く、縦長な帯状体を所定の幅の二つ折りにして、その上端際の部分を鉛直断面がＭ字状になるように中側へ斜めに折り曲げた構造を有するものや、図１５の如く、二つ折りされた定幅部分の上部に幅狭部分が連なる形状に一体的に形成されたもの等に変更することも可能である。かかる構成を採用した場合でも、上記実施形態の折り込み材と同様に、開口部Ｏを大きくすることが可能となる。
【００６８】
加えて、袋体（ガゼット袋等）は、折り込み部（折り込み材３ａ，３ｂからなる部分）の定幅部分１８の高さ位置に設定される開封予定位置に、水平方向への裁断を容易にするためのノッチを設けたもの等とすることも可能である。すなわち、開封予定位置の設定方法は、上記実施形態の如く、外周に（胴材および／または折り込み材に）水平方向の破線を印刷する方法に限定されず、水平方向への裁断のきっかけとなるノッチや切れ込みあるいは複数の細孔等の易開封手段を側端縁に設置する方法や、使用者が手で裁断可能なように複数の切線や、貫通あるいは未貫通の細孔を水平方向に直線状に連続的に設ける方法（貫通あるいは未貫通のミシン目を設ける方法）等に変更することも可能である。
【００６９】
また、上記実施形態の如く、袋体（ガゼット袋等）を底部に折り込み部を設けたものとする場合でも、底部の折り込み部の設置方法は、左右の折り込み材の下端縁際の部分を鉛直断面がＭ字状になるように中側へ斜めに折り曲げて、それらの屈曲部分の内部に、底部の折り込み材の左右の両端際を挟み込ませる方法に限定されず、図１６の如く、長尺な帯状の合成樹脂製シートを所定の態様で折り畳むことによって、左右の折り込み材と底部の折り込み材とを一緒に形成する（連ならせるように形成する）方法を採用することも可能である。
【産業上の利用可能性】
【００７０】
本発明の収納容器は、上記の如く優れた効果を奏するものであるから、味噌の収納容器あるいは包装袋として好適に用いることができる。
【符号の説明】
【００７１】
Ｃ２，Ｃ２・・収納容器
１・・ケース
２ａ，２ｂ・・胴材    
３ａ，２ｂ・・折り込み部（左右）
４・・折り込み部（底部）
５・・側方シール部
８・・シール強化部
１１・・ケース本体
１２・・蓋体
１８・・定幅部分
１９・・幅狭部分
Ｐ１〜Ｐ8・・ガゼット袋（袋体）
Ｃ・・開封予定位置
【図１】
0006771949.tif 000002
【図２】
0006771949.tif 000003
【図３】
0006771949.tif 000004
【図４】
0006771949.tif 000005
【図５】
0006771949.tif 000006
【図６】
0006771949.tif 000007
【図７】
0006771949.tif 000008
【図８】
0006771949.tif 000009
【図９】
0006771949.tif 000010
【図１０】
0006771949.tif 000011
【図１１】
0006771949.tif 000012
【図１２】
0006771949.tif 000013
【図１３】
0006771949.tif 000014
【図１４】
0006771949.tif 000015
【図１５】
0006771949.tif 000016
【図１６】
0006771949.tif 000017